(57)【要約】【課題】  簡単な構造で不要光をカットする。【解決手段】  対物レンズＯＬを備えたレンズホルダがアクトベース上のシャフトに嵌合され、該レンズホルダに設けたフォーカスコイル及びトラッキングコイルの励磁作用により、そのレンズホルダがシャフトに沿ってフォーカス方向ａ，ｂに摺動可能且つシャフト回りでトラッキング方向ｃ，ｄに揺動可能に形成され、レンズホルダを被い対物レンズ対向位置に開口部９を形成したアクトカバー８が前記アクトベースに取り付けられ、該アクトカバー８が対物レンズＯＬの最上昇位置よりもわずかに高い位置に配置され、そのアクトカバー８の開口部９のトラッキング方向ｃ，ｄの横幅ｔ１が、対物レンズＯＬをトラッキング方向ｃ，ｄに最大揺動させたときの開口部９を通過する入射光Ｌの外径ｎ１よりも大きくてコリメータレンズを通る平行光束Ｃの外径ｍよりも小さく設定されている。【選択図】        図４
2007058931.tif 000002
【特許請求の範囲】
【請求項１】
対物レンズを備えたレンズホルダがアクトベース上のシャフトに嵌合され、該レンズホ
ルダに設けたフォーカスコイル及びトラッキングコイルの励磁作用により、そのレンズホ
ルダがシャフトに沿ってフォーカス方向に摺動可能且つシャフト回りでトラッキング方向
に揺動可能に形成され、前記レンズホルダを被ってシャフトの頂面に当接または接近し大
径の開口部を対物レンズに遊嵌合させたアクトカバーが前記アクトベースに取り付けられ
、レンズホルダの開口部の周辺から外方に突出する遮光部が付加されており、コリメータ
レンズから対物レンズに入った入射光を所定の集光角で開口部を通過してディスクの記録
面に収束させ、その反射光により記録面に記録されている情報を読み取り、前記遮光部に
より不要光を遮断するようにした対物レンズユニットにおいて、前記遮光部を省略し、前
記アクトカバーが対物レンズの最上昇位置よりもわずかに高い位置に配置され、該アクト
カバーの開口部のトラッキング方向の横幅が、対物レンズをトラッキング方向に最大揺動
させたときの開口部を通過する入射光の外径よりも大きくてコリメータレンズを通る平行
光束の外径よりも小さく設定され、前記開口部のトラッキング方向とは直交する方向の縦
幅が、該開口部を通過する入射光の外径よりも大きくてコリメータレンズを通る平行光束
の外径よりも小さく設定され、その開口部の内周面が、該開口部を通過する入射光の集光
角とほぼ平行して傾斜されていることを特徴とする対物レンズユニット。
【請求項２】
対物レンズを備えたレンズホルダがアクトベース上のシャフトに嵌合され、該レンズホ
ルダに設けたフォーカスコイル及びトラッキングコイルの励磁作用により、そのレンズホ
ルダがシャフトに沿ってフォーカス方向に摺動可能且つシャフト回りでトラッキング方向
に揺動可能に形成され、前記レンズホルダを被い対物レンズ対向位置に開口部を形成した
アクトカバーが前記アクトベースに取り付けられており、コリメータレンズから対物レン
ズに入った入射光を所定の集光角で開口部を通過してディスクの記録面に収束させ、その
反射光により記録面に記録されている情報を読み取るようにした対物レンズユニットにお
いて、前記アクトカバーが対物レンズの最上昇位置よりもわずかに高い位置に配置され、
該アクトカバーの開口部のトラッキング方向の横幅が、対物レンズをトラッキング方向に
最大揺動させたときの開口部を通過する入射光の外径よりも大きくてコリメータレンズを
通る平行光束の外径よりも小さく設定されていることを特徴とする対物レンズユニット。
【請求項３】
前記開口部のトラッキング方向とは直交する方向の縦幅が、該開口部を通過する入射光
の外径よりも大きくてコリメータレンズを通る平行光束の外径よりも小さく設定されてい
ることを特徴とする請求項２に記載の対物レンズユニット。
【請求項４】
前記開口部の内周面が、該開口部を通過する入射光の集光角とほぼ平行して傾斜されて
いることを特徴とする請求項２または３に記載の対物レンズユニット。
【発明の詳細な説明】
【技術分野】
【０００１】
本発明は、例えばＤＶＤプレーヤやＤＶＤレコーダなどのディスク装置に使用される対
物レンズユニットに関し、特に、簡単な構造で不要光をカットするものである。
【背景技術】
【０００２】
従来、対物レンズユニットの一例として図６〜図８に示すものがある。これは、対物レ
ンズＯＬを備えたレンズホルダ１の中央にボス部１ａが一体突設され、該ボス部１ａの軸
孔２がアクトベース３上のシャフト４に嵌合され、ボス部１ａの周辺にフォーカスコイル
５が配置されると共に、レンズホルダ１の両側面にトラッキングコイル６が配置され、レ
ンズホルダ１を間に挟んでアクトベース３の両側部から起立させた起立板３ａに一対のマ
グネット７が配置され、前記レンズホルダ１に合成樹脂製アクトカバー８が被せられ、該
アクトカバー８に一体突設したフック部８ａをアクトベース３に着脱可能に係合させるこ
とにより、そのアクトベース３の天板部８ｂがシャフト４の頂面に当接または接近され、
前記天板部８ｂに形成した大径の開口部９が対物レンズＯＬに遊嵌合され、該対物レンズ
ＯＬに対向するコリメータレンズＱＷＰがアクトベース３を支持する光ピックアップ本体
１０に設けられている。なお、１１は光ピックアップ本体１０を貫通してアクトベース３
のねじ孔に螺合する一対の角度調整ねじ、１２はアクトベース３の挿通孔に挿通されて光
ピックアップ本体１０に螺着された押えねじ、１３は該押えねじの頭部とアクトベース３
との間に介在させたコイルばね、１４はプリント基板であって、リード線１４ａを介して
フォーカスコイル５及びトラッキングコイル６に接続されている。Ｄはディスクである。
【０００３】
上記構成において、フォーカスコイル５に通電して励磁させることにより、レンズホル
ダ１をシャフト４に沿ってフォーカス方向ａ，ｂに摺動させ、光源である半導体レーザか
らコリメータレンズＱＷＰを通って対物レンズＯＬに入った入射光Ｌを所定の集光角αで
ディスクＤの記録面Ｄａに収束させ、また、トラッキングコイル６に通電して励磁させる
ことにより、レンズホルダ１をシャフト４回りでトラッキング方向ｃ，ｄに揺動させて対
物レンズＯＬをディスクＤの記録面Ｄａの所定のトラックに追従させ、これにより、入射
光Ｌの記録面Ｄａにより反射された反射光を対物レンズＯＬ及びコリメータレンズＱＷＰ
を通って受光素子で受光することにより、その記録面Ｄａに記録されている情報を読み取
る。
【０００４】
上記構成によれば、図６に示すように、レンズホルダ１の対物レンズＯＬを支持するロ
字状縁部１ｂとアクトカバー８の開口部９との間に隙間β１，β２が形成されており、特
に、レンズホルダ１をトラッキング方向ｃ，ｄに自由に揺動させるために、隙間β１を大
きく設定している。従って、レンズホルダ１をトラッキング方向ｃ，ｄに揺動させたとき
、コリメータレンズＱＷＰから対物レンズＯＬに入る入射光Ｌの平行光束Ｃのうちの外周
部分がロ字状縁部１ｂの外側から隙間β１，β２を通過してディスクＤの記録面Ｄａに入
射されることがあり、その反射光は不要光であるから、その不要光が受光素子で受光され
ると、読取ミスなどのエラーを生じさせる。
【０００５】
上記難点を解消する技術として特許文献１に記載したものがある。これは、図８に仮想
線で示すように、レンズホルダ１の開口部９の周辺から外方に突出する略Ｃ字状の遮光部
１６が付加されており、その遮光部１６により不要光を遮断するものである。
【特許文献１】特開２００４−３４８８５４号公報
【発明の開示】
【発明が解決しようとする課題】
【０００６】
上記従来の構成では、レンズホルダ１の重量が遮光部１６を付加した分だけ大きくなる
ため、そのレンズホルダ１の軽量化及び小型化の要望に反し、サーボ特性が低下する。ま
た、遮光部１６を付加するために、精密成形品であるレンズホルダ１の成形金型を設計変
更しなければならず、コストアップになる。
【０００７】
本発明は、上記従来の欠点に鑑み、簡単な構造で不要光をカットするようにした対物レ
ンズユニットを提供することを目的としている。
【課題を解決するための手段】
【０００８】
上記目的を達成するため、請求項１に記載の発明は、対物レンズを備えたレンズホルダ
がアクトベース上のシャフトに嵌合され、該レンズホルダに設けたフォーカスコイル及び
トラッキングコイルの励磁作用により、そのレンズホルダがシャフトに沿ってフォーカス
方向に摺動可能且つシャフト回りでトラッキング方向に揺動可能に形成され、前記レンズ
ホルダを被ってシャフトの頂面に当接または接近し大径の開口部を対物レンズに遊嵌合さ
せたアクトカバーが前記アクトベースに取り付けられ、レンズホルダの開口部の周辺から
外方に突出する遮光部が付加されており、コリメータレンズから対物レンズに入った入射
光を所定の集光角で開口部を通過してディスクの記録面に収束させ、その反射光により記
録面に記録されている情報を読み取り、前記遮光部により不要光を遮断するようにした対
物レンズユニットにおいて、前記遮光部を省略し、前記アクトカバーが対物レンズの最上
昇位置よりもわずかに高い位置に配置され、該アクトカバーの開口部のトラッキング方向
の横幅が、対物レンズをトラッキング方向に最大揺動させたときの開口部を通過する入射
光の外径よりも大きくてコリメータレンズを通る平行光束の外径よりも小さく設定され、
前記開口部のトラッキング方向とは直交する方向の縦幅が、該開口部を通過する入射光の
外径よりも大きくてコリメータレンズを通る平行光束の外径よりも小さく設定され、その
開口部の内周面が、該開口部を通過する入射光の集光角とほぼ平行して傾斜されているこ
とを特徴としている。
【０００９】
請求項２に記載の発明は、対物レンズを備えたレンズホルダがアクトベース上のシャフ
トに嵌合され、該レンズホルダに設けたフォーカスコイル及びトラッキングコイルの励磁
作用により、そのレンズホルダがシャフトに沿ってフォーカス方向に摺動可能且つシャフ
ト回りでトラッキング方向に揺動可能に形成され、前記レンズホルダを被い対物レンズ対
向位置に開口部を形成したアクトカバーが前記アクトベースに取り付けられており、コリ
メータレンズから対物レンズに入った入射光を所定の集光角で開口部を通過してディスク
の記録面に収束させ、その反射光により記録面に記録されている情報を読み取るようにし
た対物レンズユニットにおいて、前記アクトカバーが対物レンズの最上昇位置よりもわず
かに高い位置に配置され、該アクトカバーの開口部のトラッキング方向の横幅が、対物レ
ンズをトラッキング方向に最大揺動させたときの開口部を通過する入射光の外径よりも大
きくてコリメータレンズを通る平行光束の外径よりも小さく設定されていることを特徴と
している。
【００１０】
請求項３に記載の発明は、請求項２に記載の発明において、前記開口部のトラッキング
方向とは直交する方向の縦幅が、該開口部を通過する入射光の外径よりも大きくてコリメ
ータレンズを通る平行光束の外径よりも小さく設定されていることを特徴としている。
【００１１】
請求項４に記載の発明は、請求項２または３に記載の発明において、前記開口部の内周
面が、該開口部を通過する入射光の集光角とほぼ平行して傾斜されていることを特徴とし
ている。
【発明の効果】
【００１２】
請求項１に記載の発明は実施の一形態（図１〜図５参照）に対応するものであって、こ
れによれば、アクトカバーの開口部のトラッキング方向の横幅が、対物レンズをトラッキ
ング方向に最大揺動させたときの開口部を通過する入射光の外径よりも大きくてコリメー
タレンズを通る平行光束の外径よりも小さく設定されているから、レンズホルダをトラッ
キング方向に揺動させたとき、コリメータレンズから入射される平行光束のうちの外周部
分で対物レンズに入らずにディスクに向けて通過する不要光がアクトカバーで遮断され、
また、アクトカバーの開口部のトラッキング方向とは直交する方向の縦幅が、該開口部を
通過する入射光の外径よりも大きくてコリメータレンズを通る平行光束の外径よりも小さ
く設定されているから、レンズホルダをフォーカス方向に摺動させたとき、コリメータレ
ンズから入射される平行光束のうちの外周部分で対物レンズに入らずにディスクに向けて
通過する不要光があったとしても、その不要光をアクトカバーで遮断する。従って、不要
光がディスクの記録面で反射されて受光素子で受光されることがなくなり、その不要光に
よる読取ミスなどのエラーを生じないようにすることができる。
【００１３】
更に、アクトカバーの開口部の内周面を該開口部を通過する入射光の集光角とほぼ平行
して傾斜させることにより、その開口部の内周面を入射光に接近させて、不要光の遮断を
一層確実に行うことができる。
【００１４】
ここで特に、レンズホルダに対して従来の遮光部に相当するものを一切付加していない
ので、該レンズホルダの軽量化及び小型化の要望に応じて、そのサーボ特性を高く維持す
ることができる。
【００１５】
しかも、精密成形品であるレンズホルダの設計変更が不要であり、その一方で、精密成
形の必要性が低いアクトカバーを対物レンズの最上昇位置よりもわずかに高い位置に配置
し、該アクトカバーの開口部を従来に比べて小さくするだけでよいから、コストアップに
つながらず、経済的である。
【００１６】
請求項２に記載の発明によれば、アクトカバーの開口部のトラッキング方向の横幅が、
対物レンズをトラッキング方向に最大揺動させたときの開口部を通過する入射光の外径よ
りも大きくてコリメータレンズを通る平行光束の外径よりも小さく設定されているから、
レンズホルダをトラッキング方向に揺動させたとき、コリメータレンズから入射される平
行光束のうちの外周部分で対物レンズに入らずにディスクに向けて通過する不要光がアク
トカバーで遮断されるから、その不要光がディスクの記録面で反射されて受光素子で受光
されることがなくなり、その不要光による読取ミスなどのエラーを生じないようにするこ
とができる。
【００１７】
ここで特に、レンズホルダに対して従来の遮光部に相当するものを一切付加していない
ので、該レンズホルダの軽量化及び小型化の要望に応じて、そのサーボ特性を高く維持す
ることができる。
【００１８】
しかも、精密成形品であるレンズホルダの設計変更が不要であり、その一方で、精密成
形の必要性が低いアクトカバーを対物レンズの最上昇位置よりもわずかに高い位置に配置
し、該アクトカバーの開口部を従来に比べて小さくするだけでよいから、コストアップに
つながらず、経済的である。
【００１９】
請求項３に記載の発明によれば、アクトカバーの開口部のトラッキング方向とは直交す
る方向の縦幅が、該開口部を通過する入射光の外径よりも大きくてコリメータレンズを通
る平行光束の外径よりも小さく設定されているから、レンズホルダをフォーカス方向に摺
動させたとき、コリメータレンズから入射される平行光束のうちの外周部分で対物レンズ
に入らずにディスクに向けて通過する不要光があったとしても、その不要光をアクトカバ
ーで遮断するから、その不要光がディスクの記録面で反射されて受光素子で受光されるこ
とがなくなり、その不要光による読取ミスなどのエラーを生じないようにすることができ
る。
【００２０】
請求項４に記載の発明によれば、アクトカバーの開口部の内周面を該開口部を通過する
入射光の集光角とほぼ平行して傾斜させることにより、その開口部の内周面を入射光に接
近させて、不要光の遮断を一層確実に行うことができる。
【発明を実施するための最良の形態】
【００２１】
図１〜図５は本発明の実施の一形態である対物レンズユニットを示すものであって、図
４に示すように、アクトカバー８が対物レンズＯＬの最上昇位置よりもわずかの間隔ｈを
おいて高い位置に配置され、該アクトカバー８の開口部９のトラッキング方向ｃ，ｄの横
幅ｔ１が、対物レンズＯＬをトラッキング方向ｃ，ｄに最大揺動させたとき（図４仮想線
参照）の開口部９を通過する入射光Ｌの外径ｎ１よりも大きくてコリメータレンズＱＷＰ
を通る平行光束Ｃの外径ｍよりも小さく設定されている。なお、図２中、１８はアクトカ
バー８の天板部８ｂの下面に一体突設されてシャフト４の頂面に当接または接近する十字
状ストッパ部である。
【００２２】
上記構成によれば、レンズホルダ１をトラッキング方向ｃ，ｄに揺動させたとき、コリ
メータレンズＱＷＰから入射される平行光束Ｃのうちの外周部分で対物レンズＯＬに入ら
ずにディスクＤに向けて通過する不要光がアクトカバー８で遮断されるから、その不要光
がディスクＤの記録面Ｄａで反射されて受光素子で受光されることがなくなり、その不要
光による読取ミスなどのエラーを生じないようにすることができる。
【００２３】
ここで特に、レンズホルダ１に対して従来の遮光部１６（図８参照）に相当するものを
一切付加していないので、該レンズホルダ１の軽量化及び小型化の要望に応じて、そのサ
ーボ特性を高く維持することができる。
【００２４】
しかも、精密成形品であるレンズホルダ１の設計変更が不要であり、その一方で、精密
成形の必要性が低いアクトカバー８を対物レンズＯＬの最上昇位置よりもわずかに高い位
置に配置し、該アクトカバー８の開口部９を従来に比べて小さくするだけでよいから、コ
ストアップにつながらず、経済的である。
【００２５】
具体的寸法の一例を示すと、焦点距離ｆを２ｍｍ、開口部９からディスクＤまでの間隔
ｒを０．３ｍｍ、平行光束Ｃの外径ｍを４．８ｍｍ、対物レンズＯＬの最大揺動幅ｋを１
．９ｍｍ、対物レンズＯＬをトラッキング方向ｃ，ｄに最大揺動させたときの開口部９を
通過する入射光Ｌの外径ｎ１を２．３ｍｍとすると、開口部９の横幅ｔ１は２．３ｍｍよ
りも大きいくて４．８ｍｍよりも小さい範囲（例えば２．５〜４．５ｍｍ）で、この実施
の形態ではｔ１＝３．２ｍｍに設定されている。
【００２６】
図５に示すように、前記開口部９のトラッキング方向ｃ，ｄとは直交する方向の縦幅ｔ
２が、該開口部９を通過する入射光Ｌの外径ｎ２よりも大きくてコリメータレンズＱＷＰ
を通る平行光束Ｃの外径ｍよりも小さく設定されている。
【００２７】
上記構成によれば、レンズホルダ１をフォーカス方向ａ，ｂに摺動させたとき、コリメ
ータレンズＱＷＰから入射される平行光束Ｃのうちの外周部分で対物レンズＯＬに入らず
にディスクＤに向けて通過する不要光があったとしても、その不要光をアクトカバー８で
遮断するから、その不要光がディスクＤの記録面Ｄａで反射されて受光素子で受光される
ことがなくなり、その不要光による読取ミスなどのエラーを生じないようにすることがで
きる。
【００２８】
具体的寸法の一例を示すと、平行光束Ｃの外径ｍを４．８ｍｍ、開口部９を通過する入
射光Ｌの外径ｎ２を０．６ｍｍとすると、開口部９の縦幅ｔ２は０．６ｍｍよりも大きく
て４．８ｍｍよりも小さい範囲（例えば０．９〜４．５ｍｍ）で、この実施の形態ではｔ
２＝１．３ｍｍに設定されている。
【００２９】
図４及び図５に示すように、開口部９の内周面９ａが、該開口部９を通過する入射光Ｌ
の集光角αとほぼ平行して傾斜されており、これによって、開口部９の内周面９ａを入射
光Ｌに接近させて、不要光の遮断を一層確実に行うことができる。
【００３０】
具体的寸法の一例を示すと、集光角αが１００°、内周面９ａと入射光Ｌとの間の間隔
ｓが０．５ｍｍである。
【００３１】
上記以外の構成は図６〜図８に示す構成とほぼ同じであるから、同一部分に同一符号を
付してその説明を省略する。
【００３２】
上記した対物レンズユニットをＤＶＤプレーヤやＤＶＤレコーダなどのディスク装置に
搭載することにより、経済的で読取ミスなどのエラーが少なくて使い勝手のよいディスク
装置を提供することができる。
【図面の簡単な説明】
【００３３】
【図１】本発明の実施の一形態である対物レンズユニットの平面図である。
【図２】図１のＡ−Ａ矢視図である。
【図３】同要部の分解斜視図である。
【図４】同トラッキング方向に沿う要部の拡大説明図である。
【図５】同トラッキング方向とは直交する方向に沿う要部の拡大説明図である。
【図６】従来例の平面図である。
【図７】図６のＢ−Ｂ矢視図である。
【図８】同要部の分解斜視図である。
【符号の説明】
【００３４】
１          レンズホルダ
３          アクトベース
４          シャフト
５          フォーカスコイル
６          トラッキングコイル
８          アクトカバー
９          開口部
９ａ        開口部の内周面
１６        遮光部
ＯＬ        対物レンズ
ＱＷＰ      コリメータレンズ
α          集光角
Ｌ          入射光
Ｃ          平行光束
Ｄ          ディスク
Ｄａ        ディスクの記録面
ｔ１        開口部の横幅
ｔ２        開口部の縦幅
ａ，ｂ      フォーカス方向
ｃ，ｄ      トラッキング方向
【図１】
2007058931.tif 000003
【図２】
2007058931.tif 000004
【図３】
2007058931.tif 000005
【図４】
2007058931.tif 000006
【図５】
2007058931.tif 000007
【図６】
2007058931.tif 000008
【図７】
2007058931.tif 000009
【図８】
2007058931.tif 000010